(57)【要約】【課題】二次元コードが読み取りできなくなる虞を低減することができる二次元コード付シール、及びシールシートを提供する。【解決手段】二次元コード付シール１は、表面と裏面とを有し、裏面に粘着剤が塗布された二次元コード付シール１であって、表面には、ユーザが記入するための記入欄６と、記入欄６に隣接し、記入欄６よりも明度が低い予備領域７と、所定の情報を複数のドットの配置によって表す二次元コード８とが形成され、二次元コード８は、記入欄６と予備領域７とに跨がって、冗長性を有して形成されている。【選択図】図１
0003224882.tif 000002
【実用新案登録請求の範囲】
【請求項１】
表面と裏面とを有し、前記裏面に粘着剤が塗布された二次元コード付シールであって、
前記表面には、
ユーザが記入するための記入欄と、
前記記入欄に隣接し、前記記入欄よりも明度が低い予備領域と、
所定の情報を複数のドットの配置によって表す二次元コードとが形成され、
前記二次元コードは、前記記入欄と前記予備領域とに跨がって、冗長性を有して形成されている二次元コード付シール。
【請求項２】
前記複数のドットは、黄色である請求項１に記載の二次元コード付シール。
【請求項３】
前記二次元コード付シールの外周は、略矩形形状を有し、
前記略矩形の外周の一辺には、外方へ向かって突出する先窄まりの突起部が形成されている請求項１又は２に記載の二次元コード付シール。
【請求項４】
前記二次元コード付シールの、前記突起部が突出する突出方向の長さは、前記突出方向と直交する方向の長さよりも長い請求項３記載の二次元コード付シール。
【請求項５】
前記記入欄と前記予備領域とは、前記突出方向に沿って隣接している請求項４に記載の二次元コード付シール。
【請求項６】
請求項１〜５のいずれか１項に記載の二次元コード付シールを複数と、
前記複数の二次元コード付シールが剥離可能に貼付された剥離紙とを含み、
前記各二次元コード付シールの前記二次元コードが表す情報は、自己の二次元コード付シールを他の二次元コード付シールと識別する識別情報であるシールシート。
【考案の詳細な説明】
【技術分野】
【０００１】
本考案は、二次元コードが付された二次元コード付シール、及びシールシートに関する。
【背景技術】
【０００２】
従来より、表面に透明な袋を有するとともに背面に粘着層を有し、書類を収容するファイルの背見出し部に当該背面を貼り付けるシール本体と、書類を識別するためにシール本体の透明な袋に着脱可能に挿入される識別カードとを備えたファイル用貼付シールセットが知られている（例えば、特許文献１参照。）。上記の識別カードには、ＱＲコード（登録商標）が印刷されており、ＱＲコード（登録商標）の下に、ユーザがファイルの表題を記載可能な空欄が設けられている。
【先行技術文献】
【特許文献】
【０００３】
【特許文献１】特開２００９−１１９８１８号公報
【考案の概要】
【考案が解決しようとする課題】
【０００４】
しかしながら、上述のファイル用貼付シールセットでは、ユーザが空欄に記入する際に、空欄からはみ出してＱＲコード（登録商標）の上にも記載してしまうおそれがある。そのため、ＱＲコード（登録商標）が読み取りできなくなる虞があった。
【０００５】
本考案の目的は、二次元コードが読み取りできなくなる虞を低減することができる二次元コード付シール、及びシールシートを提供することである。
【課題を解決するための手段】
【０００６】
本考案に係る二次元コード付シールは、表面と裏面とを有し、前記裏面に粘着剤が塗布された二次元コード付シールであって、前記表面には、ユーザが記入するための記入欄と、前記記入欄に隣接し、前記記入欄よりも明度が低い予備領域と、所定の情報を複数のドットの配置によって表す二次元コードとが形成され、前記二次元コードは、前記記入欄と前記予備領域とに跨がって、冗長性を有して形成されている。
【０００７】
この構成によれば、二次元コード付シールの表面には、ユーザが記入するための記入欄と、記入欄に隣接し、記入欄よりも明度が低い予備領域とが形成されているので、ユーザの記入が記入欄に誘導される。二次元コードは冗長性を有しており、かつ予備領域部分に形成された二次元コードはユーザによって上書きされ難いので、記入欄部分の二次元コードがユーザによって上書きされた場合であっても、上書きされずに残った二次元コード部分から情報を読み取り可能となる可能性が増大する。その結果、二次元コードが読み取りできなくなる虞を低減することができる。
【０００８】
また、前記複数のドットは、黄色であることが好ましい。
【０００９】
黄色のドットは目立たないので、二次元コード付シールの記入欄に二次元コードのドットを形成しても、違和感を生じる虞が低減される。
【００１０】
また、前記二次元コード付シールの外周は、略矩形形状を有し、前記略矩形の外周の一辺には、外方へ向かって突出する先窄まりの突起部が形成されていることが好ましい。
【００１１】
この構成によれば、突起部が矢印として機能するので、二次元コード付シールの貼り付け対象における、二次元コード付シールと関連付けたい部分を突起部によって指し示すことが可能になる。
【００１２】
また、前記二次元コード付シールの、前記突起部が突出する突出方向の長さは、前記突出方向と直交する方向の長さよりも長いことが好ましい。
【００１３】
この構成によれば、二次元コード付シールの全体形状が細長くなり、その先端から突起部が突出するので、突起部がその先を指し示している印象が強調される。
【００１４】
また、前記記入欄と前記予備領域とは、前記突出方向に沿って隣接していることが好ましい。
【００１５】
この構成によれば、二次元コード付シールの長尺方向に記入欄と予備領域とが並ぶので、二次元コード付シール全体がさらに細長くなる。その結果、突起部がその先を指し示している印象がさらに強調される。
【００１６】
また、本考案に係るシールシートは、上述の記載の二次元コード付シールを複数と、前記複数の二次元コード付シールが剥離可能に貼付された剥離紙とを含み、前記各二次元コード付シールの前記二次元コードが表す情報は、自己の二次元コード付シールを他の二次元コード付シールと識別する識別情報である。
【００１７】
この構成によれば、一枚のシールシートから、互いに異なる識別情報を有する複数の二次元コード付シールを剥離させて、所望の貼り付け対象物に貼り付けることができる。そして、各二次元コード付シールによって、互いに異なる識別情報を認識させることができる。
【考案の効果】
【００１８】
このような構成の二次元コード付シール、及びシールシートは、二次元コードが読み取りできなくなる虞を低減することができる。
【図面の簡単な説明】
【００１９】
【図１】本考案の一実施形態に係る二次元コード付シール及びシールシートの一例を示す説明図である。
【図２】図１に示す二次元コード付シールの使い方の一例を示す説明図である。
【考案を実施するための形態】
【００２０】
以下、本考案に係る実施形態を図面に基づいて説明する。なお、各図において同一の符号を付した構成は、同一の構成であることを示し、その説明を省略する。図１は、本考案の一実施形態に係る二次元コード付シール及びシールシートの一例を示す説明図である。
【００２１】
図１に示すシールシート２は、一枚の剥離紙３の表面に、複数の二次元コード付シール１が貼付されて構成されている。二次元コード付シール１の裏面には、粘着剤４が塗布されている。複数の二次元コード付シール１は、剥離紙３の表面に、剥離可能に貼付されている。
【００２２】
粘着剤４は、二次元コード付シール１を、一度貼り付け対象に貼り付けたら剥がすことが困難な接着力の強いものであってもよく、何度でも張り直し可能ないわゆる付箋紙タイプの粘着力の弱いものであってもよい。
【００２３】
二次元コード付シール１は、一方向に長尺な、略矩形形状を有している。二次元コード付シール１の一辺には、外方へ向かって突出する先窄まりの突起部５が形成されている。
【００２４】
二次元コード付シール１の表面には、ユーザが記入するための記入欄６と、記入欄６に隣接し、記入欄６よりも明度が低い予備領域７とが形成されている。
【００２５】
記入欄６は、予備領域７よりも明度が高く、従って白っぽくなるため、ユーザの記入が記入欄６に誘導される。予備領域７は、記入欄６よりも明度が低ければよく、色彩が付されていてもよく、模様が付されていてもよい。
【００２６】
記入欄６及び予備領域７には、複数のドットの配置によって情報を表す二次元コード８が形成されている。二次元コード８は、例えば、各二次元コード付シール１を、他の二次元コード付シール１から識別する識別情報を表している。シールシート２に貼付された二次元コード付シール１には、互いに異なる識別情報を表す二次元コード８が付されている。
【００２７】
二次元コード８は、記入欄６と予備領域７とに跨がってドットが分布するように、例えば黄色のインクで印刷されている。二次元コード８は、冗長性を有しており、二次元コード８にユーザが上書きするなどして二次元コード８のドットの一部分が隠れても、その識別情報を読み出し可能とされている。しかしながら、一定以上の多くのドットが上書きされると、二次元コード８から識別情報を読み出すことが困難になる。
【００２８】
二次元コード８としては、例えば特開２０１９−６１５６４号に記載されている二次元コードを用いることができる。あるいは、二次元コード８として、株式会社アポロジャパンのスクリーンコードを用いることができる。
【００２９】
二次元コード付シール１によれば、ユーザの記入が記入欄６に誘導されるので、予備領域７に形成されたドットは上書きされにくい。そのため、記入欄６にユーザが記入することによって記入欄６の二次元コード８のドットの一部分が上書きされても、予備領域７に形成されたドットと、記入欄６の残りのドットと、予備領域７に形成されたドットとを合わせることによって、二次元コード８の識別情報の読み出しが困難になる虞が低減される。
【００３０】
また、ユーザの記入が記入欄６からはみ出して、予備領域７のドットの一部が上書きされた場合であっても、二次元コード８のドットは、記入欄６と予備領域７とに跨がって、記入欄６にも形成されているので、記入欄６及び予備領域７全体の上書きされずに残ったドットから、識別情報が読み出し可能となる確実性が向上する。
【００３１】
また、二次元コード８は、微細なドットが記入欄６及び予備領域７に拡がって分布したものなので、下地のようになって目立ちにくく、ユーザに違和感を感じさせにくい。また、二次元コード８のドットを、目立ちにくい黄色で印刷することによって、さらに二次元コード８のドットを目立ちにくくすることができる。
【００３２】
二次元コード付シール１は、各二次元コード付シール１の識別情報を、静止画像、動画像、音声等の情報、又はＵＲＬ（Uniform Resource Locator）等の、情報が格納されている場所を示すアドレス情報等の種々の情報と紐付けて用いることができる。あるいは、各二次元コード付シール１の識別情報は、所定のアプリケーションプログラムを起動するリンク情報と紐付けされてもよい。
【００３３】
上述したように、各二次元コード付シール１の識別情報は、少なくとも１枚のシールシート２上では他の識別情報とは異なるようにされている。従って、各二次元コード付シール１の識別情報に、これらの情報を紐付けることによって、その後に二次元コード付シール１の二次元コード８を読み取って、その二次元コード付シール１に紐付けられた情報を読み出すことが可能となる。
【００３４】
上述のように、二次元コード付シール１の識別情報に情報を紐付けたり、識別情報に紐付けられた情報を読み出したりする情報管理システムとして、例えば特開２０１９−６１５６４号に記載されている印刷物連携記録システムを用いることができ、例えば株式会社アポロジャパンのスマートフォンアプリ「ＳｃＬｉｎｋ」をスマートフォン等の移動体通信端末装置（以下、モバイル端末と称する）にインストールして用いることができる。
【００３５】
図２は、図１に示す二次元コード付シール１の使い方の一例を示す説明図である。図２は、旅行の予定等が記載された、旅のしおり９に二次元コード付シール１を貼り付けて使用する例を示している。
【００３６】
旅のしおり９に「ホテル着」の予定があり、その地図を準備しておきたい場合、ユーザは、シールシート２から二次元コード付シール１を一枚剥がして「ホテル着」の記載付近に貼り付ける。そして記入欄６に例えば「地図」等のメモを記載し、その二次元コード付シール１の二次元コード８を情報管理システムのカメラ付きモバイル端末で読み取らせる。ユーザは、そのホテルの地図の画像データ、又はその地図を参照可能なＷｅｂページのＵＲＬ等の地図を示す情報と、読み取られた二次元コード８の識別情報とを紐付ける操作をモバイル端末で行う。
【００３７】
これにより、後日、旅行先でホテルの行き方を知りたいときに、旅のしおり９の「地図」と記載された二次元コード付シール１の二次元コード８をモバイル端末で読み取ることによって、その二次元コード付シール１と紐付けされた地図情報をモバイル端末に読み出して、ホテルの地図を見ることが可能となる。
【００３８】
このとき、二次元コード付シール１には突起部５が設けられているので、突起部５を旅のしおり９の「地図」と記載された部分に向けて二次元コード付シール１を貼り付けることによって、突起部５が矢印として機能する。その結果、地図情報と紐付けられた二次元コード付シール１が、旅のしおり９のどの記載部分と対応しているのかが明確になる。
【００３９】
また、二次元コード付シール１は、突起部５が突出する突出方向の長さが、その突出方向と直交する方向の長さよりも長い略長方形形状を有し、かつ記入欄６と予備領域７とが、その突出方向に沿って隣接している。従って、細長い全体形状を有する二次元コード付シール１の先端から突起部５が突出することになる結果、その突起部５が矢印のようにその先の記載を指し示している印象が強調される。
【００４０】
また、例えば旅のしおり９にコンサートの予定が記載されているとき、ユーザは、シールシート２から二次元コード付シール１を一枚剥がして旅のしおり９の「コンサート」の記載付近に貼り付ける。そして、記入欄６に例えば「チケット」等のメモを記載し、その二次元コード付シール１の二次元コード８を情報管理システムのモバイル端末で読み取らせる。ユーザは、例えばそのコンサートの電子チケットを購入し、その電子チケットにアクセスするためのＵＲＬやチケットアプリのリンク情報等を、読み取られた二次元コード８の識別情報と紐付ける操作をモバイル端末で行う。
【００４１】
これにより、後日、コンサート会場に入場する際に、ユーザは旅のしおり９の「チケット」と記載された二次元コード付シール１の二次元コード８をモバイル端末で読み取ることによって、その二次元コード付シール１と紐付けされた電子チケットをモバイル端末に読み出して、電子チケットを提示することが可能となる。
【００４２】
また、ユーザは、旅のしおり９に記載されている観光地、例えばモンジュイック城を訪れた際に、モバイル端末のカメラでモンジュイック城を撮影する。ユーザは、シールシート２から二次元コード付シール１を一枚剥がして旅のしおり９の「モンジュイック城」の記載付近に貼り付ける。そして、記入欄６に例えば「写真」等のメモを記載し、その二次元コード付シール１の二次元コード８を情報管理システムのモバイル端末で読み取らせる。ユーザは、例えばモンジュイック城を撮影した画像データを、読み取られた二次元コード８の識別情報と紐付ける操作をモバイル端末で行う。
【００４３】
これにより、ユーザは、旅先から帰った後、旅のしおり９を開いて「写真」と記載された二次元コード付シール１の二次元コード８をモバイル端末で読み取ることによって、その二次元コード付シール１と紐付けされた観光地の写真をモバイル端末で表示させることができるので、旅の思い出を旅のしおり９に埋め込むことが可能となる。
【００４４】
なお、二次元コード付シール１には、必ずしも突起部５が設けられていなくてもよい。また、記入欄６と予備領域７との隣接方向は、突起部５の突出方向に沿う方向でなくてもよい。また、二次元コード付シール１の、突起部５の突出方向の長さは、その突出方向と直交する方向の長さよりも短くてもよい。また、二次元コード８のドットは黄色でなくてもよい。
【符号の説明】
【００４５】
１    二次元コード付シール
２    シールシート
３    剥離紙
４    粘着剤
５    突起部
６    記入欄
７    予備領域
８    二次元コード
９    旅のしおり
【図１】
0003224882.tif 000003
【図２】
0003224882.tif 000004